(57)【要約】【課題】トンネル防災システムの設置工事において、電力線と通信制御線を誤結線する可能性がなく、この誤結線によるトンネル内の機器の不動作、誤作動が発生することがなく、また、電力線と通信制御線とを敷設する場合よりも線材配管材の費用が安価であり、線材配管材の据付作業に長時間を要することがないトンネル防災システムを提供することを目的とするものである。【解決手段】防災受信盤を具備するトンネル防災システムにおいて、上記防災受信盤から端末機器に電力を供給する電力線と、上記電力線を電力線通信に用いる電力線通信手段とを有するトンネル防災システムである。【選択図】図１
2008009686.tif 000002
【特許請求の範囲】
【請求項１】
防災受信盤を具備するトンネル防災システムにおいて、
上記防災受信盤から端末機器に電力を供給する電力線と；
上記電力線を電力線通信に用いる電力線通信手段と；
を有することを特徴とするトンネル防災システム。
【請求項２】
請求項１において、
上記端末機器は、押しボタン式通報装置、消火栓、火災検知器、水噴霧自動弁のうちの少なくとも１つの機器であることを特徴とするトンネル防災システム。
【請求項３】
請求項１において、
上記電力線通信手段は、上記電力線を介した電力線通信によって、上記防災受信盤と上記端末機器との間で、上記端末機器の運転を制御する運転制御信号、上記端末機器の状態を表示する状態表示信号および上記端末機器の動作試験を行う動作試験信号を送受信する手段であることを特徴とするトンネル防災システム。
【請求項４】
請求項１において、
上記電力線通信手段は、電力線接続部、信号重畳・分割部、信号変換部、各端末機器接続部を有する手段であることを特徴とするトンネル防災システム。
【発明の詳細な説明】
【技術分野】
【０００１】
本発明は、トンネル防災システムに関する。
【背景技術】
【０００２】
従来、Ｒ型（伝送）のトンネル防災システムが知られている（たとえば、特許文献１参照）。
【０００３】
図６は、従来のＲ型のトンネル防災システム２００を示すブロック図である。
【０００４】
従来のＲ型のトンネル防災システム２００において、防災受信盤とトンネル内の各機器（たとえば、火災検知器、消火栓、水噴霧自動弁等機器）とが、電源配線と伝送通信配線とを介して接続されている。
【０００５】
トンネル防災システム２００において、電力供給のための電力用ケーブル１０、１１と、信号の送受信のための通信制御用ケーブル８０とを必ず敷設している。
【特許文献１】特開２００２−１９７５５５号公報
【発明の開示】
【発明が解決しようとする課題】
【０００６】
上記従来のトンネル防災システム２００では、必ず電力用ケーブル１０、１１と通信制御用ケーブル８０とを必要とするので、設置工事のときに、電力用ケーブル１０、１１と通信制御用ケーブル８０を誤結線する可能性があり、誤結線を行うと、トンネル内の機器が不動作、また誤作動するという問題がある。
【０００７】
また、上記従来のトンネル防災システム２００では、電力線１０、１１と通信制御線８０との両者に材料費がかかるので、トンネル防災システム全体の材料費が高いという問題があり、さらに、電力線１０、１１と通信制御線８０とを、配管を通して据付し、この場合における作業に多くの時間を費やすという問題がある。
【０００８】
本発明は、トンネル防災システムの設置工事において、電力線と通信制御線を誤結線する可能性がなく、この誤結線によるトンネル内の機器の不動作、誤作動が発生することがなく、また、電力線と通信制御線とを敷設する場合よりも線材配管材の費用が安価であり、線材配管材の据付作業に長時間を要することがないトンネル防災システムを提供することを目的とするものである。
【課題を解決するための手段】
【０００９】
本発明は、防災受信盤を具備するトンネル防災システムにおいて、上記防災受信盤から端末機器に電力を供給する電力線と、上記電力線を電力線通信に用いる電力線通信手段とを有するトンネル防災システムである。
【発明の効果】
【００１０】
本発明によれば、電力線を電力線通信に用いる電力線通信手段を有するので、トンネル防災システムの設置工事において、電力線と通信制御線を誤結線する可能性がなく、この誤結線によるトンネル内の機器の不動作、誤作動が発生することがなく、また、電力線と通信制御線とを敷設する場合よりも線材配管材の費用が安価であり、線材配管材の据付作業に長時間を要することがないという効果を奏する。
【発明を実施するための最良の形態】
【００１１】
発明を実施するための最良の形態は、以下の実施例である。
【実施例１】
【００１２】
図１は、本発明の実施例１であるトンネル防災システム１００の系統図である。
【００１３】
トンネル防災システム１００は、防災受信盤ＲＥ１と、電力線１０、１１と、中継盤２０と、通常トンネル内に設置されている消火栓箱３０と、消火栓箱３０の近傍に設けられる自動弁格納箱５０とを有する。
【００１４】
電力線１０には、たとえば２００Ｖの電力が供給され、電力線１１には、たとえば１００Ｖの電力が供給されている。
【００１５】
防災受信盤ＲＥ１と各端末機器３１〜３５との距離が長ければ、信号増幅用の中継盤２０が必要であり、距離が短ければ、中継盤２０は不要である。
【００１６】
図２は、トンネル防災システム１００で使用されている消火栓箱３０と自動弁格納箱５０を示す図である。
【００１７】
消火栓箱３０は、電力線通信用変換器（ＰＬＣモデム）４０と、赤色表示灯３１と、押しボタン式通報装置３２と、消火栓起動部３３と、火災検知器３４と、その他機器３５とを有する。
【００１８】
また、自動弁格納箱５０は、自動弁５１と圧力スイッチ５２とを有する。また、その他設備６０が自動弁格納箱５０に接続されている。
【００１９】
図３は、電力線通信用変換器４０を示すブロック図である。
【００２０】
電力線通信用変換器４０は、電力線接続部４１と、信号重畳・分割部４２と、分割した信号を、端末機器が対応できる信号に変換する信号変換、端末機器に合わせた電力に変換するトランス、端末機器の動作、試験等を行う制御部４３と、各端末機器接続部４４とを有する。
【００２１】
次に、トンネル防災システム１００の動作について説明する。
【００２２】
まず、受信盤ＲＥ１から各種信号を、各端末機器が受信する場合、電力線１０、１１を介して、電力と各種信号とを電力線接続部４１が受信し、信号重畳・分割部４２において、電力から各種信号が分割される．この分割された各種信号が、信号変換、トランス、制御部４３において、所定の電力、動作や試験等の制御信号に変換され、各端末機器接続部４４を介して、各端末機器に送信される。
【００２３】
各端末機器から受信盤ＲＥ１に各種信号を送信する場合は、上記説明と逆である。つまり、各端末機器からの信号が、各端末機器接続部４４を介して、信号変換、トランス、制御部４３に送られ、信号変換、トランス、制御部４３が、端末機器の動作、試験等を行えるように信号変換し、この変換された信号が、信号重畳・分割部４２において、電力に重畳され、電力線接続部４１を介して、電力線１０、１１へ送られ、防災受信盤ＲＥ１に送られる。
【００２４】
上記実施例によれば、トンネル防災システムの設置工事において、電力線と通信制御線とが互いに共用されているので、電力線と通信制御線の誤結線を行う可能性がなく、この誤結線によるトンネル内の機器の不動作、誤作動が発生することがなく、また、電力線と通信制御線との双方を敷設する場合よりも、実施例における線材配管材の費用が安価であり、線材配管材の据付作業に長時間を要することがない。
【００２５】
つまり、上記実施例によれば、電力線通信をトンネル防災システムに用いることによって、電力線のみで、トンネル内設置されている各機器、たとえば消火栓、通報装置、火災検知器、水噴霧自動弁等を監視、制御、試験等をすることができるので、従来必要である通信制御用ケーブルを敷設する必要がなく、配線配管工事中の労力や材料コストを低減することができ、また設置工事のときに電力線と通信制御線を誤結線することがなく、より安全なかつシンプルなトンネル防災システムを構築することができる。
【００２６】
ここで、Ｒ型（伝送）のトンネル防災システムを例として記載したが、さらにＰ型（直送）のトンネル防災システムにおいても、電力線通信が適用するようにしてもよい。
【図面の簡単な説明】
【００２７】
【図１】本発明の実施例１であるトンネル防災システム１００の系統図である。
【図２】トンネル防災システム１００で使用されている消火栓箱３０、自動弁格納箱５０を示す図である。
【図３】電力線通信用変換器４０を示すブロック図である。
【図４】従来のＲ型（伝送）のトンネル防災システム２００を示すブロック図である。
【符号の説明】
【００２８】
１００…トンネル防災システム、
１０、１１…電力線、
３０…消火栓箱、
３１…赤色表示灯、
３２…押しボタン式通報装置、
３３…消火栓起動部、
３４…火災検知器、
３５…その他機器、
４０…電力線通信要変換器（ＰＬＣモデム）、
４１…電力線接続部、
４２…信号重畳・分割部、
４３…信号変換、トランス、制御部、
４４…各端末機器接続部、
５０…自動弁格納箱。
【図１】
2008009686.tif 000003
【図２】
2008009686.tif 000004
【図３】
2008009686.tif 000005
【図４】
2008009686.tif 000006